(57)【要約】      （修正有）【課題】多段調整可能なノートブック型コンピュータの枢軸を提供する。【解決手段】固定端（１１）と挿接端（１４）を備え、固定端にはリング部（１２）が設けられ、挿接端には結合部材（１６）が設けられてある固定軸（１０）と、套接端（２１）と連接端（２２）を備え、套接端は前記固定軸に枢設されて相対する枢揺関係を発生する回転座（２０）と、前記固定軸の挿接端に取り付けられる固定部材（３０）と、前記固定部材と前記結合部材の間に設けられてある弾性装置（４０）と、前記回転座の套接端に設けられ、前記固定部材の固定塊と組み合わして定位を形成する定位部材（５０）と、前記回転座の套接端に設けられ、それの前記固定軸に近い一側には複数個の二方向油溝（６２）が設けられてある位置限定部材（７０）と、前記固定軸のリング部と位置限定部材の間に設けられてあるストッパー（６０）とを含む。【選択図】図２
0003136907.tif 000002
【実用新案登録請求の範囲】
【請求項１】
多段調整可能なノートブック型コンピュータの枢軸であって、固定端と挿接端を備え、固定端にはリング部が設けられ、挿接端には結合部材が設けられてある固定軸と；套接端と連接端を備え、套接端は前記固定軸に枢設され、かつ相対する枢揺関係を発生する回転座と；前記固定軸の挿接端に取り付けられ、前記回転座の套接端に向かうそれの一側には違う半径に位置する三つの固定塊が設けられてある固定部材と；前記固定部材と前記結合部材の間に設けられてある弾性装置と；
前記回転座の套接端に設けられ、前記固定部材に近い一側には違う半径に位置する三つの定位溝が設けられ、かつそれら定位溝は前記固定部材の固定塊と組み合わせて定位を形成する定位部材と；を含むことを特徴とする、多段調整可能なノートブック型コンピュータの枢軸。
【請求項２】
前記固定部材と結合部材の間には複数個の弾性装置が設けられ、前記弾性装置は二つのシート及びこれらシート間に位置する複数のばね片から構成され、ばね片の外縁には四つの半円欠け口が設けられ、隣接する二つの弾性装置の間には固定軸に取り付けられる支え部材が設けられ、支え部材の一側には支え部が形成され、支え部は前記回転座の連接端に嵌め付けられ、連接端には支え部に嵌め付けられる嵌め部が突き出してあることを特徴とする、請求項１記載の多段調整可能なノートブック型コンピュータの枢軸。
【請求項３】
前記回転座の套接端には位置限定部材が設けられ、位置限定部材の前記固定軸に近い一側には複数個の油溝が設けられ、前記固定軸のリング部と位置限定部材の間にはストッパーが設けられ、ストッパーの前記回転座の套接端に近い一側には複数個の油溝が設けられ、位置限定部材及びストッパーの油溝はＶ字形を呈する形態に設けられ、前記リング部の一側には欠け口が設けられ、前記ストッパーには当て塊が設けられ、当て塊はリング部の欠け口内に伸び入り、ストッパーには更に当て止め溝が設けられ、位置限定部材には位置限定部が設けられ、位置限定部はストッパーの当て止め溝に伸び入り、当て止め溝の円弧度は１８０度で、前記固定部材の一側には第一当て面が形成され、それら固定塊は第一当て面に設けられ、かつそれら固定塊には第二当て面及び第三当て面が形成され、前記定位部材の前記固定部材に近い一側には第一接触面が形成され、それら定位溝は第一接触面に設けられ、かつそれら定位溝には第二接触面及び第三接触面が形成され、それら固定塊は直径位置に沿って排列され、それら定位溝は直径位置に沿って排列され、第三当て面の角度範囲は０〜４０度で、第二当て面の角度範囲は５０〜５５度で、第一当て面の角度範囲は６５〜３５０度であり、第三接触面の角度範囲は０〜４０度で、第二接触面の角度範囲は５０〜５５度及び３４５〜３５５度で、第一接触面の角度範囲は６５〜３３５度であることを特徴とする、請求項１記載の多段調整可能なノートブック型コンピュータの枢軸。
【考案の詳細な説明】
【技術分野】
【０００１】
本考案はノートブック型コンピュータの枢軸に係り、特に多段調整可能なノートブック型コンピュータの枢軸に関する。
【背景技術】
【０００２】
図18には、伝統的回し軸の構造を示す。その回し軸構造の固定片1とスライド(slide)片2の隣接面には相対して交差する楔形塊3及び楔形溝4が設けられ、その楔形塊3及び楔形溝4は内、外環に設けられてある。
【０００３】
このようでは固定片1とスライド片2が相対してスライドするときの不安定を導き、かつよい摩擦抵抗力を提供することができなく、緩んでしまいまたはディスプレー(display)が主フレーム(frame)に重く蓋をすることが発生しやすくなる。
【０００４】
また弾性体5は複数個の錐形シートの正逆交差の重ねからなり、実際に圧迫された場合はずれてしまって反発力の不均一が発生しやすく、回転時の抵抗力の違いを導き、品質不良の瑕疵になってしまう。
【０００５】
このほか、フレーム面6と固定片1及び摩擦片7の隣接面にはそれぞれ潤滑効果を提供するための油を入れる円形の油孔8が設けられてある。ところが、それら円形油孔8は円形に設けられてあるので、回転の過程に於いて、油膜が円形油孔8に詰め込まれ、または円形油孔8から吸い出される効果が悪く、隣接面の摩擦磨耗になりやすいので、それを改善する必要がある。
【考案の開示】
【考案が解決しようとする課題】
【０００６】
本考案が解決しようとする技術的問題は、従来の回し軸の固定部材とスライド部材が相対してスライドするときに不安定を導き、かつよい摩擦抵抗力を提供することができなく、緩んでしまいまたはディスプレーが主フレームに重く蓋をする欠点が発生しやすくなることである。このほか、それら円形油孔は円形に設けられてあるので、回転の過程に於いて、油膜が円形油孔に詰め込まれ、または円形油孔から吸い出される効果が悪く、隣接面の摩擦磨耗になりやすいので、それを改善する必要がある。
【課題を解決するための手段】
【０００７】
本考案は固定端と挿接端を備え、固定端にはリング部が設けられ、挿接端には結合部材が設けられてある固定軸と；套接端と連接端を備え、套接端は前記固定軸に枢設されて相対する枢揺関係を発生する回転座と；前記固定軸の挿接端に取り付けられる固定部材と；前記固定部材と前記結合部材の間に設けられてある弾性装置と；前記回転座の套接端に設けられ、前記固定部材の固定塊と組み合わして定位を形成する定位部材と；前記回転座の套接端に設けられ、それの前記固定軸に近い一側には複数個の二方向油溝が設けられてある位置限定部材と；前記固定軸のリング部と位置限定部材の間に設けられてあるストッパーとを含む。
【考案を実施するための最良の形態】
【０００８】
図１ないし図３を参照されたい。本考案の枢軸は固定軸10、回転座20、固定部材30、弾性装置40、定位部材50、ストッパー60と位置限定部材70を含む。
【０００９】
前記固定軸10は第一端と第二端を備え、第一端には固定端11が形成され、固定端11は製品（例えばノートブック型コンピュータの主フレーム）に固定される。かつ固定端11の外周には更に突き出したリング部12が設けられ、リング部12の一側には欠け口13が設けられてある。
【００１０】
前記固定軸10の第二端には非円形断面の挿接端14を備え、挿接端14の末端には結合部15が設けられ、結合部15には結合部材16が結合されてある。本実施例に於いて、前記結合部材16と結合部15の間は図４に示すようにねじによって結合される。
【００１１】
前記回転座20は套接端21と連接端22を備え、套接端21は前記固定軸10に枢設され、かつ前記回転座20は前記固定軸10に相対して枢揺関係が発生する。連接端22は製品（例えばノートブック型コンピュータのディスプレー）に固定される。連接端22の一側には突き出した嵌め部221が形成される。
【００１２】
前記固定部材30は前記固定軸10の挿接端14に設けられ、前記固定部材30には前記挿接端14と互いに組み合わせる非円形状の套接孔31を備え、これによって前記固定部材30と前記固定軸10は相対した回転関係が発生しないようになる。
【００１３】
前記固定部材30の前記回転座20の套接端21に向かう一側には第一当て面301が形成され、第一当て面301には階段状に現れる複数個の固定塊32が設けられ、それら固定塊32には第二当て面321及び第三当て面322が形成される。本実施例に於いて、前記固定部材30には違う半径に位置する三つの固定塊32が設けられ、かつそれら固定塊32は前記固定部材30の同一直径位置に保持される。第三当て面322の角度範囲は0〜40度で、第二当て面321の角度範囲は50〜55度で、第一当て面301の角度範囲は65〜350度である。
【００１４】
前記弾性装置40は前記固定部材30と前記結合部材16の間に設けられ、前記固定部材30が前記回転座20の套接端21に当て付ける力を提供する。前記弾性装置40は二つのシート41及びその二つのシート41間に位置する複数のばね片42から構成される。それらシート41内には三つの油孔412が設けられ、それらばね片42の外縁には四つの半円欠け口422が設けられてある。前記弾性装置40のばね片42は必要とする摩擦力の違いによって違った数を配置することができる。前記弾性装置40のシート41には前記挿接端14と組み合わせられる非円形状の套接孔411が設けられ、のこりのばね片42は円孔421である。これにより、前記弾性装置40は前記固定軸10の挿接端14に設けることができる。
【００１５】
また隣接する二つの弾性装置40の間には前記固定軸10に取り付けられる支え部材25が設けられ、支え部材25には円孔251が開けられて前記固定軸10の挿接端14に設けられる。前記支え部材25の一側には凹陥した支え部252が形成され、支え部252は前記回転座20の連接端22の嵌め部221に嵌め付けられ、前記回転座20が回転したときは前記支え部材25を連動して前記固定軸10に相対して回転し、連接端22は支え部材25の補助的支え効果が得られ、安定した回転動作が達成される。
【００１６】
前記支え部材25を組み立てる場合は円孔251を前記固定軸10の挿接端14に組み付け、並びに前記支え部材25の支え部252を前記回転座20の連接端22の嵌め部221に合わすだけで、図６に示すように前記支え部材25を挿接端14と連接端22の間に組み付けることができる。それの組み立ては簡単で、かつ組み立て完了後の歩留は高く、コスト(cost)もかなり低いのである。
【００１７】
電子製品の機種には大小の分別があり、大機種に使われる枢軸は長く、小機種に使われる枢軸は短いので、本考案は機種の違いによって違う数の支え部材25と弾性装置40を採用することができ、安定な構造強度の効果を得ることができる。もちろん、弾性装置40のばね片42の数を増やし（または減らし）、二つの支え部材25間の幅を調整しても同じく安定な構造強度の効果を得ることができる。
【００１８】
前記定位部材50は前記回転座20の套接端21に設けられ、かつ前記定位部材50と前記固定部材30には相対した枢転定位関係が発生する。前記定位部材50には前記固定軸10に取り付け、並びに相対した枢揺関係を発生するための円孔51が設けられてある。前記定位部材50の一側には嵌め付け塊52が設けられ、前記回転座20の套接端21には嵌め付け塊52を収納するための嵌め付け溝23が設けられてある。これにより、前記回転座20が前記固定軸10に相対して枢揺した場合、前記回転座20は前記定位部材50を動かして伴って回転する。前記定位部材50の円孔51の套接端21に近い一側には嵌め付けリング53が形成され、前記回転座20の套接端21には嵌め付けリング53を収納するための嵌め付け孔24が設けられてある。
【００１９】
前記定位部材50の前記固定部材30に近い一側には第一接触面501が形成され、第一接触面501には複数個の階段状に現れる定位溝54が設けられ、それら定位溝54にはそれぞれ第二接触面541及び第三接触面542が形成されてある。本実施例に於いて、それら定位部材50には違った半径に位置する三つの溝状の定位溝54が設けられ、かつそれら定位溝54は前記定位部材50の同一直径位置に保持され、それら定位溝54は前記固定部材30の三つの固定塊32と組み合わして定位を形成する。第三接触面542の角度範囲は0〜40度で、第二接触面541の角度範囲は50〜55度及び345〜355度で、第一接触面501の角度範囲は65〜335度である。
【００２０】
前記ストッパー60は前記固定軸10のリング部12と回転座20の套接端21の間に設けられ、前記固定軸10のリング部12が摩擦されて損耗することの防止に用いられる。前記ストッパー60には前記固定軸10に組み付けられる孔64が備えられ、かつ前記ストッパー60の外周には当て塊61が設けられ、当て塊61はリング部12の欠け口13内に伸び入り、前記ストッパー60と前記固定軸10に相対した回転関係が発生しないようになる。
【００２１】
前記ストッパー60の前記回転座20の套接端21に近い一側には図５に示すような複数個のV字形で相対する二方向の油溝が設けられてある。前記ストッパー60の外周には円弧度が180度であるストッパー溝63が設けられてある。もちろんストッパー溝63の円弧度は必要によって他の角度に設けられることができる。
【００２２】
前記位置限定部材70は前記回転座20の套接端21と前記ストッパー60の間に設けられ、前記回転座20の套接端21がストッパー60の直接摩擦損耗を受けることの防止に用いられる。前記位置限定部材70は前記回転座20の套接端21に設けられ、かつ前記位置限定部材70と前記ストッパー60に相対する枢転位置限定関係が発生する。前記位置限定部材70には前記固定軸10に組み入れ、並びに相対する枢揺関係を発生するための孔71が設けられてある。前記位置限定部材70の一側には嵌め付け塊72が設けられ、嵌め付け塊72は前記套接端21の嵌め付け溝23に収納される。これにより、前記回転座20が前記固定軸10に相対して枢揺した場合、前記位置限定部材70は動かされてそれに伴って回転する。前記位置限定部材70の孔71の一側には嵌め付けリング73が形成され、それは前記套接端21の嵌め付け孔24内に収納される。
【００２３】
図５に示すように、前記位置限定部材70の前記固定軸10に近い一側には複数個のV字形で相対する二方向の油溝74が設けられてある。前記位置限定部材70には位置限定部75が突き出して設けられ、前記位置限定部75は前記ストッパー60の当て止め溝63内に伸び入り、枢転位置限定の効果が達成される。
【００２４】
図４ないし図９本考案の回転座20がまだ回転されていない場合の状態図を参照されたい。回転座20がまだ回転されていない場合、前記固定部材30は前記弾性装置40の押し付けを受けて定位部材50に当て付き、それによって固定塊32は第三当て付け面322をもって定位溝54の第三接触面542に当て付ける。第二当て付け面321は第二接触面541に当て付け、第一当て付け面301は第一接触面501に当て付ける。
【００２５】
前記油溝74、62は二つの互いに対応するV字形に設けられているので、前記回転座20が回転の過程に於いて、ストッパー60と位置限定部材70間にある油膜は集中されて前側のV字形溝の先端に詰め込まれ、後側のV字形溝中の油膜は両開放端から吸い出され、ストッパー60と位置限定部材70の間には図５に示すように常に定量の油膜が保持され、長効果の潤滑作用が得られる。
【００２６】
図10から図12を参照されたい。前記回転座20が回転すると、定位部材50は動かされて固定部材30に相対して回転する。前記定位部材50が前記固定部材30に相対して反時計針方向に回転すると、固定塊32は第三当て付け面322をもって定位溝54の第三接触面541に当て付ける。このとき、前記固定部材30は後退して弾性装置40を圧縮し（図13の如く）、そのために弾性装置40の反作用力は増大し、使用者は回転時の抵抗力が大きくなったことを感じる。
【００２７】
図13ないし図17を参照されたい。前記定位部材50が前記固定部材30に相対して反時計針方向に回転し、前記固定塊32の第三当て付け面322は定位部材50の第一接触面501に当て付け、このとき弾性装置40は最大の圧縮を受けるので、前記弾性装置40が固定部材30に施す反作用力も大きくなり、前記固定部材30と定位部材50間の摩擦抵抗力も最大になる。
【００２８】
前記回転座20が持続に前記固定部材30に相対して反時計針方向に回転されると、前記固定部材30の固定塊32は前記定位部材50の定位溝54から離れ、固定部材30は前記弾性装置40の一側へ押さえられ、前記弾性装置40は圧縮されて前記固定部材30に反作用力を施し、固定部材30は前記定位部材50に当て付け、回転座20の回転時の摩擦抵抗力は大きくなり、無段固定の多段調整定位の効果が得られる。
【図面の簡単な説明】
【００２９】
【図１】本考案の立体外観図
【図２】本考案の立体分解図
【図３】本考案の別の視角の立体分解図
【図４】本考案図１の4−4断面線に沿って取った断面図
【図５】本考案図４の5−5断面線に沿って取った断面図
【図６】本考案図４の6−6断面線に沿って取った断面図
【図７】本考案の固定部材と定位部材の組み合わせ関係の説明図
【図８】本考案の固定部材と定位部材の組み合わせ関係の説明図
【図９】本考案図７の9−9断面線に沿って取った断面図
【図１０】本考案の固定部材と定位部材の組み合わせ関係の説明図
【図１１】本考案の固定部材と定位部材の組み合わせ関係の説明図
【図１２】本考案図10の12−12断面線に沿って取った断面図
【図１３】本考案図５の継続であり、回転座が反時計針方向に回転した場合を示す説明図
【図１４】本考案図13の14−14断面線に沿って取った断面図
【図１５】本考案の固定部材と定位部材の組み合わせ関係の説明図
【図１６】本考案の固定部材と定位部材の組み合わせ関係の説明図
【図１７】本考案図15の17−17断面線に沿って取った断面図
【図１８】従来の回し軸構造の立体分解図
【符号の説明】
【００３０】
（従来構造）
1      固定片
2      スライド片
3      楔形塊
4      楔形溝
5      弾性体
6      フレーム面
7      摩擦片
8      円形油孔
（本考案）
10     固定軸
11     固定端
12     リング部
13     欠け口
14     挿接端
15     結合部
16     結合部材
20     回転座
21     套接端
22     連接端
221    嵌め部
23     嵌め付け溝
24     嵌め付け孔
25     支え部材
251    孔
252    支え部
30     固定部材
301    第一当て面
31     套接孔
32     固定塊
321    第二当て面
322    第三当て面
40     弾性装置
41     シート
411    套接孔
412    油孔
42     ばね片
421    円孔
422    欠け口
50     定位部材
501    第一接触面
51     円孔
52     嵌め付け塊
53     嵌め付けリング
54     定位溝
541    第二接触面
542    第三接触面
60     ストッパー
61     当て塊
62     油溝
63     当て止め溝
64     孔
70     位置限定部材
71     孔
72     嵌め付け塊
73     嵌め付けリング
74     油溝
75    位置限定部
【図１】
0003136907.tif 000003
【図２】
0003136907.tif 000004
【図３】
0003136907.tif 000005
【図４】
0003136907.tif 000006
【図５】
0003136907.tif 000007
【図６】
0003136907.tif 000008
【図７】
0003136907.tif 000009
【図８】
0003136907.tif 000010
【図９】
0003136907.tif 000011
【図１０】
0003136907.tif 000012
【図１１】
0003136907.tif 000013
【図１２】
0003136907.tif 000014
【図１３】
0003136907.tif 000015
【図１４】
0003136907.tif 000016
【図１５】
0003136907.tif 000017
【図１６】
0003136907.tif 000018
【図１７】
0003136907.tif 000019
【図１８】
0003136907.tif 000020